(57)【要約】  容器（１０；６０）は、ボックス（１４；６４）およびボックスにヒンジ付けされるリッド（１６；６６）を備えるハウジング（１２；６２）を備える。消費財の内側パッケージ（１８；６８、７０）は、ボックス内に収容され、かつリッド（１６）が開位置にある時にそれを通して物品が取り出し可能な上部開口（２０）と、開口を塞ぐカバーフラップ（２２；７２、７４）を備える。容器は、内側パッケージ（１８；６８、７０）に取り外し可能に貼り付けられた単一の再封可能な接着ラベル（２４；７６）をさらに備える。再封可能なラベル（２４；７６）は、開口の周辺を越えて延在し、かつ開口の少なくとも前部端の周りに延在する再封可能なラベル（２４；７６）の内部表面の第１の領域上に提供される再密封可能な接着剤によってカバーフラップ（２２；７２、７４）の上に少なくとも部分的にあるように、内側パッケージ（１８；６８、７０）に貼り付けられる。再封可能なラベル（２４；７６）の前部タブは、リッド（１６）を開くと、再封可能なラベル（２４；７６）が内側パッケージから持ち上げられてカバーフラップ（２２；７２、７４）が露出するように、リッド（１６）に永久的に貼り付けられる。【選択図】図１
2019509946.tif 000002
【特許請求の範囲】
【請求項１】
消費財のための容器であって、
ボックスと、
前記外側ハウジングの後部壁を横切って延在するヒンジ線に沿って前記ボックスにヒンジ付けされ、かつ開位置と閉位置の間で前記ヒンジ線の周りを枢動可能なリッドと、を備える外側ハウジングと、
消費財の内側パッケージであって、前記ボックス内に収容され、かつ前記外側ハウジングの前記リッドが前記開位置にある時にそれを通して消費財が取り出し可能な上部出し入れ口を備え、前記内側パッケージの前記上部出し入れ口を塞ぐカバーフラップを含む、消費財の内側パッケージと、を備え、
前記容器は、前記内側パッケージに取り外し可能に貼り付けられ、かつ前記内側パッケージの前記カバーフラップの上に少なくとも部分的にある、単一の再封可能な接着ラベルをさらに備え、前記再封可能な接着ラベルは前記内側パッケージの前記出し入れ口の周辺を越えて延在し、かつ前記出し入れ口の少なくとも前部端の周りに延在する前記再封可能な接着ラベルの内部表面の第１の領域上に提供される再密封可能な接着剤によって前記カバーフラップの上に少なくとも部分的にあるように前記内側パッケージに貼り付けられ、
前記再封可能な接着ラベルの前部タブは、前記外側ハウジングの前記リッドの表面に永久的に貼り付けられ、そのため前記リッドを開くと、前記再封可能な接着ラベルが前記内側パッケージから持ち上げられて少なくとも部分的に前記カバーフラップが露出し、
前記カバーフラップは前記内側パッケージから完全に取り外し可能である、容器。
【請求項２】
前記再封可能な接着ラベルは前記再封可能な接着ラベルの前記内部表面の第２の領域上に提供される永久接着剤によって前記内側パッケージの接続部分に永久的に貼り付けられ、ここで前記内側パッケージにおいて、前記接続部分は前記内側パッケージの前記上部出し入れ口に隣接しており、かつ前記内側パッケージの上部壁の後部に位置する、請求項１に記載の容器。
【請求項３】
前記第１と第２の領域の間に配置された前記再封可能な接着ラベルの前記内部表面の第３の領域に実質的に接着剤がない、請求項２に記載の容器。
【請求項４】
前記再封可能な接着ラベルの前記内部表面の前記第３の領域の高さは、少なくとも約１ｍｍである、請求項３に記載の容器。
【請求項５】
前記ボックスは、２つ以上の体積部分を内部に画定し、前記内側パッケージは前記体積部分のうちの１つに収容され、前記容器は少なくとも１つの消費財のさらなる内側パッケージを備え、前記さらなる内側パッケージは前記ボックスの前記体積部分の別の１つ内に収容され、かつ前記外側ハウジングの前記リッドが前記開位置にある時にそれを通して消費財が取り出し可能な、それぞれの上部出し入れ口を備える、請求項１〜４のいずれか１項に記載の容器。
【請求項６】
前記さらなる内側パッケージは、前記さらなる内側パッケージの前記上部出し入れ口を塞ぐそれぞれのカバーフラップを備え、前記単一の再封可能な接着ラベルは前記さらなる内側パッケージに取り外し可能に貼り付けられ、かつ前記さらなる内側パッケージの前記カバーフラップの上に少なくとも部分的にあり、前記再封可能な接着ラベルは前記さらなる内側パッケージの前記出し入れ口の周辺を越えて延在し、かつ前記さらなる内側パッケージの前記出し入れ口の少なくとも前部端の周りに延在する再封可能な接着ラベルの前記内部表面の一領域上に提供される再密封可能な接着剤によって前記それぞれのカバーフラップの上に少なくとも部分的にあるように前記さらなる内側パッケージに貼り付けられる、請求項５に記載の容器。
【請求項７】
前記カバーフラップは、前記内側パッケージの前記出し入れ口の少なくとも前部端の周りに延在する前記カバー接着ラベルの前記内部表面の第１の領域上に提供される再密封可能な接着剤によって前記内側パッケージに少なくとも部分的に取り外し可能に貼り付けられる、カバー接着ラベルを備える、請求項１〜６のいずれか１項に記載の容器。
【請求項８】
前記カバーフラップの前部タブは、前記カバーフラップの残りの部分の上に折り目に沿って約１８０度折り畳まれる、請求項１〜７のいずれ１項に記載の容器。
【請求項９】
前記接着要素は選択的に活性化することができ、前記前部タブは前記再封可能な接着ラベルの前記内部表面に貼り付けることができ、そのため前記リッドを開くと、前記カバーフラップが前記内側パッケージから持ち上げられて前記出し入れ口が少なくとも部分的に露出する、前記前部タブの前記外部表面上に提供される活性化可能な永久的な接着要素を備える請求項８に記載の容器。
【請求項１０】
前記接着要素が裏当て材の層により保護され、かつ前記裏当て材の層を取り外して前記接着要素を露出させ、それによって活性化させることができる、請求項９に記載の容器。
【請求項１１】
前記リッドが前記閉位置にある時に、前記カバーフラップの前記前部タブの上にある、前記再封可能な接着ラベルの前記内部表面の第４の領域に実質的に接着剤がない、請求項８〜１０のいずれか１項に記載の容器。
【請求項１２】
それに沿って前記カバーフラップの前記前部タブが折り畳まれる前記折り目は、前記ボックスの前部壁の上縁端の下方であるか、前記ボックスに受けられる内側フレームの前部壁の上縁端の下方であり、ここで前記内側フレームの前記前部壁は、前記ボックスの前記前部壁の前記上縁端を越えて延在する、請求項８〜１１のいずれか１項に記載の容器。
【請求項１３】
前記再封可能な接着ラベルの前記内部表面の前記第３の領域の高さは、前記カバーフラップの前記前部タブの高さよりも少なくとも約１ｍｍ大きい、請求項１１に記載の容器。
【請求項１４】
前記消費財が喫煙物品である、請求項１〜１３のいずれか１項に記載の容器。
【発明の詳細な説明】
【技術分野】
【０００１】
本発明は、外側ヒンジリッド式ボックスと、２つ以上の消費財の内側パッケージを備えた消費財用の容器に関連する。特に本発明の容器には、喫煙物品などの細長い消費財品目用の容器としての用途がある。
【背景技術】
【０００２】
喫煙物品は通常、剛直なヒンジリッド容器内にパッケージされる。ボックス内に収容されている喫煙物品の束は一般的に、金属化紙、金属箔、またはその他の柔軟なシート材料の内側ライナー、またはパッケージ内に包装される。密封された状態の内側パッケージは、パッケージ内部の物品が少なくとも容器を初めて開くまで新鮮な状態に保たれているという証明として消費者に認識されている。
【０００３】
容器は、例えば国際特許公開公報第ＷＯ−Ａ−２００８／１４２５４０号（ＧＤ）から周知であり、喫煙物品は、カバーフラップの下側に塗布された非乾燥接着剤を使用して内側パッケージに取り外し可能に貼り付けられたカバーフラップによって、取り外し可能に閉じられた抜き出し開口部付きの内側パッケージ内に密閉されている。これにより、内側パッケージは再び封じることができるようになる。リッドの開閉によってカバーフラップの同時の開閉が起こり、抜き出し開口部が反復的に見えたり覆われたりできるように、カバーフラップの一部分はリッドの前部壁の内部表面に永久的かつ取り外しできないように糊付けされる。
【０００４】
さらに、それぞれ内側パッケージ内に包装されるそれぞれの喫煙物品の束を収容する、２つ以上の内部区画を備える容器も周知である。これによって、一方のパッケージ内の物品にアクセスして物品を使用する一方で、他方のパッケージ内の物品は独立して新鮮な状態に保たれているという、望ましい機会が消費者に与えられる。
【０００５】
強化された有用性を有し、さらに個人仕様のユーザの体験を促進する、消費財用の容器を提供することが望ましい。さらに、それに基づいて容器内に収容された消費者の物品ができるだけ長い間新鮮な状態に保たれているという条件を提供することが望ましい。
【０００６】
上記で特定されたニーズに対処する消費財用の容器を提供することが望ましい。加えて、容器内の物品にアクセスするためのより容易かつカスタマイズされた方法を消費者に提供する、消費財用の容器を提供することが望ましい。同時に、既存の高速製造技術を最小限の改造で使用して、簡単に製造ができるこうした容器の１つを提供することが、特に望ましい。
【発明の概要】
【０００７】
本発明によると、ボックスと、外側ハウジングの後部壁を横切って延在するヒンジ線に沿ってボックスにヒンジ付けされかつ開位置と閉位置の間でヒンジ線の周りを枢動可能なリッドとを有する外側ハウジングと、消費財の内側パッケージと、を備える消費財用の容器が提供される。内側パッケージは、ボックス内に収容され、かつ外側ハウジングのリッドが開位置にある時に、それを通して消費財が取り出し可能な上部出し入れ口を備える。さらに、内側パッケージは、内側パッケージの上部出し入れ口を塞ぐカバーフラップを備える。容器は、内側パッケージに取り外し可能に貼り付けられ、かつ内側パッケージのカバーフラップの上に少なくとも部分的にある単一の再封可能な接着ラベルをさらに備える。再封可能な接着ラベルは、内側パッケージの出し入れ口の周辺を越えて延在し、かつ出し入れ口の少なくとも前部端の周りに延在する再封可能な接着ラベルの内部表面の第１の領域上に提供される再密封可能な接着剤によってカバーフラップの上に少なくとも部分的にあるように、内側パッケージに貼り付けられる。再封可能な接着ラベルの下部タブは、リッドを開くと、再封可能な接着ラベルが内側パッケージから持ち上げられて少なくとも部分的にカバーフラップが露出するように、外側ハウジングのリッドの表面に永久的に貼り付けられる。
【０００８】
本明細書で使用される場合、「前部」、「後部」、「上側」、「下側」、「上部」、「下部」および「側部」という用語は、外側ハウジングのリッドを閉位置に備え、ヒンジ線を容器の後部に備えて、容器が直立した位置にあるときの、本発明による容器およびその構成要素の部分の相対的な位置を意味する。本発明による容器を記述する時、描写する容器の向きに関係なく、これらの用語が使用される。外側ハウジングの後部壁は、ヒンジ線を含む壁である。内側パッケージの出し入れ口は、出し入れ口が内側パッケージの上部壁を少なくとも部分的に横切って延在するように、内側パッケージの上部部分に配置される。出し入れ口全体が内側パッケージの上部壁内に形成される場合、出し入れ口の前部端は、内側パッケージの上部壁の前部部分内にある。出し入れ口が内側パッケージの上部壁および前部壁を横切って延びる場合、出し入れ口の前部端は、出し入れ口の下縁端にもなり、かつ内側パッケージの前部壁の上部部分に位置する。
【０００９】
「内部表面」という用語は、本明細書全体を通して、容器が閉位置にある時に、その容器の内部に向かって（例えば、消費財に向かって）面する、組み立てられた容器の構成要素の表面を意味するために使用される。同様に、「外部表面」という用語は、本明細書全体を通して、その容器の外部に向かって面する容器の構成要素の表面を意味するために使用される。例えば、再封可能な接着ラベルは、容器の外側ハウジングに面する外部表面と内側パッケージの内側と消費財に面する内部表面とを備える。注目すべきは、内側表面または外側表面は容器の組立に使用されるブランクの一定の側には必ずしも相当しないことである。消費財の周りでブランクがどのように折り曲げられるかに応じて、容器の同じ側にある区域は、容器の内側に面する可能性も外側に面する可能性もある。
【００１０】
「ヒンジ線」という用語は、容器を開くために、これを中心としてリッドが枢動しうる線を意味する。ヒンジ線は、例えば、容器の後部壁を形成するパネル内の折り目またはスコアラインであってもよい。
【００１１】
本明細書で使用される場合、「活性化可能」という用語は、容器の別の構成要素に付着できないように、消費者に非粘着性の状態で供給される接着要素を描写するために使用される。活性化可能な接着要素は、別の構成要素に塗布するために粘着性のある状態にされるために、消費者の側での何らかの形での活性化を必要とする。
【００１２】
本明細書全体を通して、「選択的に活性化」という用語は、消費者が接着剤に対して活性化（つまり、状態変化）操作を実行することにより、非粘着性の状態から粘着性の状態にするために選択できる接着要素を描写するために使用される。接着要素の性質および構造に応じて、異なる活性化機構が可能である。活性化可能な接着要素は、別の表面との接着要素の直接的連携が阻止されるために容器の別の構成要素に付着できないように、被覆要素によって保護された粘着性の接着剤として提供されうる。したがって、接着要素は、保護用の被覆要素を除去して接着要素を環境に露出することにより、機械的に活性化されうる。代替的な方法として、活性化可能な接着要素は、水分、熱、圧力などの供給によって粘着性を持つようにできる、保護されていない非粘着性の基体として提供されうる。
【００１３】
「長手方向」という用語は下部から上部またはその反対の方向を意味する。「横断方向」という用語は、長手方向と直角を成す方向を意味する。
【００１４】
「幅」という用語は、容器のラベルまたはフラップの要素の横断方向で測定される際の寸法を説明するために使用される。「高さ」という用語は、容器のラベルまたはフラップの要素の幅と直角をなす方向で測定される際の寸法を説明するために使用される。ラベルまたはラベルの要素を説明する時は、一般的に平坦な状態のラベルについて言及している。
【００１５】
本発明による容器では、消費財の内側パッケージが外側ハウジングのヒンジリッドに受けられる。内側パッケージは、外側ハウジングのリッドが開位置にある時に、それを通して消費財が取り出し可能な上部出し入れ口を有する。既存の容器とは対照的に、内側パッケージは、出し入れ口を塞ぐカバーフラップを備え、そして容器は、内側パッケージに取り外し可能に貼り付けられかつカバーフラップの上に少なくとも部分的にある単一の再封可能な接着ラベルをさらに備える。再封可能な接着ラベルは、内側パッケージの出し入れ口の周辺を越えて延在し、かつ出し入れ口の少なくとも前部端の周りに延在する再封可能な接着ラベルの内部表面の第１の領域上に提供される再密封可能な接着剤によって、内側パッケージおよびそのカバーフラップに貼り付けられる。さらに、再封可能な接着ラベルの前部タブは、リッドを開くと、再封可能な接着ラベルが内側パッケージから持ち上げられて少なくとも部分的にカバーフラップが露出するように、外側ハウジングのリッドの表面に永久的に貼り付けられる。加えて、カバーフラップは、内側パッケージから完全に取り外し可能である。
【００１６】
したがって、再封可能な接着ラベルは、カバーフラップ上に第２の保護層を提供し、そのため風味または芳香に関連付けられた物質の場合など、消費財の新鮮さは二重バリアによって保たれる。
【００１７】
内側パッケージの内容物へのアクセスを得るために、消費者は、カバーフラップを内側パッケージから少なくとも部分的に剥がしてその下にある出し入れ口を露出させる必要がある。したがって、内側パッケージ内の消費財の新鮮さは、こうした瞬間まで有利に保たれる。さらに、１つ以上のさらなる内側パッケージを備える実施形態では、少なくとも一度はアクセスされた内側パッケージ内に含有される物品を消費者が使い切る間、同一の外側ハウジング内に収容されているこうしたさらなる内側パッケージ内に含有される消費財の新鮮さがより長く保たれうる。これは、有利なことに、容器内の消費財の新鮮さを長期間にわたり保つのに役立つ。
【００１８】
消費者は、容器を初めて開く時に内側パッケージのシールの品質を自ら検証する機会を提供される。さらに、消費者は、カバーフラップ全体を取り外すことで、所与の内側パッケージの開閉を、再封可能な接着ラベルにのみ依存するという点で完全に「自動で」行うか、毎回カバーフラップを手動で開封および再封することで、二重層保護が利用可能となり続けるようにするか、を選択する自由を与えられる。
【００１９】
加えて、１つ以上のさらなる内側パッケージを備える実施形態では、異なる内側パッケージが異なるタイプの物品を含有し、消費者は、いずれのタイプの物品を最初に消費するか、またはいずれの内側パッケージのカバーフラップの開閉を「自動に」するかを有利に選択しうる。
【００２０】
一般に、本発明は消費者にとって興味深く新しい仕方に関連した容器を提供できる。これによって、有利なことに、風変りかつカスタム化可能で独特な製品がもたらされうる。特に、１つ以上のさらなる内側パッケージを備える実施形態は、以下の説明から明らかとなるように、増大した数の、容器の別の使用方法を消費者に提供する。
【００２１】
最も一般的に言うと、本発明による容器は、外側ハウジングと消費財の内側パッケージを備える。外側ハウジングは、ボックスと、外側ハウジングの後部壁を横切って延在するヒンジ線に沿ってボックスにヒンジ付けされかつ開位置と閉位置の間でヒンジ線の周りを枢動可能なリッドとを備える。内側パッケージは、ボックス内に収容され、かつ外側ハウジングのリッドが開位置にある時に、それを通して消費財が取り出し可能な上部出し入れ口を備える。さらに、内側パッケージは、内側パッケージの上部出し入れ口を塞ぐカバーフラップを備える。容器は、内側パッケージに取り外し可能に貼り付けられ、かつ内側パッケージのカバーフラップの上に少なくとも部分的にある単一の再封可能な接着ラベルをさらに備える。再封可能な接着ラベルは、内側パッケージの出し入れ口の周辺を越えて延在し、かつ出し入れ口の少なくとも前部端の周りに延在する再封可能な接着ラベルの内部表面の第１の領域上に提供される再密封可能な接着剤によってカバーフラップの上に少なくとも部分的にあるように、内側パッケージに貼り付けられる。再封可能な接着ラベルの前部タブは、リッドを開くと、再封可能な接着ラベルが内側パッケージから持ち上げられて少なくとも部分的にカバーフラップが露出するように、外側ハウジングのリッドの表面に永久的に貼り付けられる。再封可能な接着ラベルの前部タブは、リッドの前部壁の内部表面に永久的に貼り付けられることが好ましい。さらに、カバーフラップは、内側パッケージから完全に取り外し可能である。
【００２２】
再封可能な接着ラベルは、再封可能な接着ラベルの内部表面の第２の領域上に提供される永久接着剤によって内側パッケージの接続部分に永久的に貼り付けられることが好ましい。内側パッケージにおいて、接続部分は内側パッケージの上部出し入れ口に隣接し、かつ内側パッケージの上部壁の後部に位置する。これによって、再封可能な接着ラベルが内側パッケージに固定され、再封可能な接着ラベルの内部表面の第２の領域は、その周りを再封可能な接着ラベルが、それがフラップと内側パッケージの上部壁に当接する閉位置と、それが内側パッケージの上部壁の平面から持ち上げられ、そのためカバーフラップが消費者に露出される開位置との間で枢動可能なヒンジとして効果的に機能する。再封可能な接着ラベルは内側パッケージに永久的に固定されるため、消費者が、内側パッケージを再封する機会を損なうことなくラベルをその閉位置と開位置の間でかなりの回数移動させることは簡単である。
【００２３】
第１と第２の領域の間に配置された再封可能な接着ラベルの内部表面の第３の領域に実質的に接着剤がないことがより好ましい。内側パッケージに永久的に貼り付けられた（第２の）領域とパッケージとカバーフラップ上に取り外し可能に貼り付けられた（第１の）領域との間に接着剤がない領域を提供することによって、有利なことに、再封可能な接着ラベルがカバーフラップに永久的に貼り付けられないことが確実となる。したがって、再封可能なラベルとそれぞれの内側パッケージとの間の接続を妨げることなく、カバーフラップ全体を内側パッケージから容易に外しうる。
【００２４】
再封可能な接着ラベルの内部表面の第３の領域の高さは、少なくとも約１ｍｍであることが好ましい。再封可能な接着ラベルの内部表面の第３の領域の高さは、少なくとも約２ｍｍであることがより好ましい。追加的に、または代替的に、再封可能な接着ラベルの内部表面の第３の領域の高さは、約１２ｍｍ未満であることが好ましい。再封可能な接着ラベルの内部表面の第３の領域の高さは、約８ｍｍ未満であることがより好ましい。好ましい実施形態では、再封可能な接着ラベルの内部表面の第３の領域の高さは、約２ｍｍ〜約８ｍｍである。
【００２５】
一部の実施形態において、ボックスは、２つ以上の体積部分を内部に画定し、内側パッケージは体積部分のうちの１つに収容される。容器は、少なくとも１つのさらなる消費財の内側パッケージを備え、さらなる内側パッケージはボックスの体積部分の別の１つに収容され、かつ外側ハウジングのリッドが開位置にある時にそれを通して消費財が取り出し可能なそれぞれの上部出し入れ口を備える。
【００２６】
２つ以上の体積部分は、体積部分に受けられる２つ以上の内側パッケージの出し入れ口が外側ハウジングの横断方向軸に沿って整列されるように、横方向の構成で隣接することが好ましい。別の言い方をすると、内側パッケージの出し入れ口は、別の内側パッケージの出し入れ口の左、または右にある。代替的に、体積部分に受けられる２つ以上の内側パッケージの出し入れ口が外側ハウジングの縦断方向軸と直角をなす方向に整列されるように、２つ以上の体積部分が縦方向の構成で隣接してもよい。別の言い方をすると、内側パッケージの出し入れ口は、別の内側パッケージの出し入れ口の前、または後にある。
【００２７】
さらなる内側パッケージにカバーフラップが提供されない場合、外側ハウジングのリッドを開いて再封可能な接着ラベルを初めて内側パッケージから持ち上げる時に、さらなる内側パッケージの上部開口が露出して消費者は内部に含有される消費財にアクセスすることができるが、一方で、（第１の）内側パッケージの上部開口はカバーフラップによって塞がれる。したがって、消費者がさらなる内側パッケージ内に含有される物品を使用し尽くす一方で、（第１の）内側パッケージ内に含有される物品は、カバーフラップと再密封可能な接着ラベルとの組み合わせの保護下で、より長く保たれうる。同時に、リッドが再び閉じられる時、さらなる内側パッケージ内の消費財が内側パッケージへの消費者の連続的なアクセスの間も保たれるように、再封可能な接着ラベルがさらなる内側パッケージの上部開口を効果的に再封する。したがって、こうした容器の１つは、有利なことに、容器内の消費財の新鮮さを長期間にわたり保つのに役立ちうる。
【００２８】
さらなる内側パッケージがさらなる内側パッケージの上部出し入れ口を塞ぐそれぞれのカバーフラップを備え、単一の再封可能な接着ラベルが再密封可能な接着ラベルによってさらなる内側パッケージのカバーフラップの上に少なくとも部分的にあることが好ましい。こうした実施形態では、外側ハウジングは、２つ以上の内側パッケージを含み、それぞれがそれぞれのカバーフラップによって塞がれる上部出し入れ口を有する。したがって、内側パッケージは、各パッケージ内に含有される消費者物品の新鮮さを保つために二重保護構造を提供され、そして、以下でより明らかとなるように、消費者は、最大の使用順応性が与えられる。実際に、リッドを初めて開くと、再封可能な接着ラベルが内側パッケージから持ち上げられてカバーフラップが露出し、内側パッケージそれぞれが、容器内の他の内側パッケージとは独立して本質的に使用可能である。
【００２９】
一部の好ましい実施形態において、内側パッケージまたはさらなる内側パッケージの上部出し入れ口を塞ぐカバーフラップは、内側パッケージまたはさらなる内側パッケージの出し入れ口の少なくとも前部端の周りに延在するカバー接着ラベルの内部表面の第１の領域上に提供される再密封可能な接着剤によってそれぞれの内側パッケージまたはさらなる内側パッケージに少なくとも部分的に取り外し可能に貼り付けられる、カバー接着ラベルを備える。したがって、こうしたカバーフラップの１つを提供された内側パッケージそれぞれにおいて、二重保護構造は、２つの再密封可能な層を備える。
【００３０】
カバーフラップは内側パッケージまたはさらなる内側パッケージから完全に取り外し可能であるため、消費者は、容器を効果的にカスタム化しうる。したがって、消費者は、内側パッケージ上の二重保護構造を維持するか、かかる内側パッケージの開封を効果的に自動にし、リッドを開いて再封可能な接着ラベルを持ち上げることで直接もたらされるようにするか、を有利にも選択することができる。さらに、容器が２つ以上の内側パッケージを備える場合、消費者は、他方の１つに移る前に、一方の１つの内側パッケージからの物品を消費する時に該内側パッケージからカバーフラップを取り外すことを選ぶことができる。
【００３１】
再封可能な接着ラベルは、内側パッケージ内の出し入れ口に形状およびサイズが対応する、接着剤がない領域を備えうる。したがって、カバーフラップが取り外され、かつリッドが接着ラベルが内側パッケージにシールされる閉位置にある時に、この接着剤がない領域は、内側パッケージ内の出し入れ口を覆う。これにより、埃や小さな粒子、例えば短いたばこやパッケージ内にある消費財からのその他の残留物が再封可能な接着ラベルに付着することが防止される。これは、例えば、接着ラベルが内側パッケージ内の消費財と接触するようになった場合に発生しうる。
【００３２】
一部の実施形態において、カバーフラップの前部タブはカバーフラップの残りの部分上に折り目に沿って約１８０度折り畳まれる。カバーフラップを再封可能とする場合と、カバーフラップが内側パッケージから完全に取り外し可能である場合の両方の場合に、消費者が簡単に、前部タブを引っ張ってカバーフラップをそのそれぞれの内側パッケージから剥がすことができるので、これは有利である。カバーフラップの折り畳まれる前部タブは、実質的に接着剤がないことが好ましい。これによって、有利なことに、カバーフラップが再封可能な接着ラベルに、または外側ハウジングの表面に偶発的に付着されないことが確実となる。
【００３３】
カバーフラップが内側パッケージの上部壁および前部壁を横切って延在するそれらの実施形態では、前部タブは、効果的にはカバーフラップの下部タブにもなり、そして、カバーフラップの残りの部分に対して約１８０度折り畳まれる時、リッドが閉位置にある時に、前部タブはリッドの前部壁に平行な垂直平面に実質的にある。これにより、消費者は特に簡単に、前部タブを上方に引っ張ることでカバーフラップを内側パッケージから剥がすことができる。カバーフラップが内側パッケージの上部壁を横切って延在するそれらの実施形態では、カバーフラップの残りの部分に対して約１８０度折り畳まれると、リッドが閉位置にある時に、前部タブはリッドの上部壁に平行な水平平面に実質的にある。
【００３４】
それに沿ってカバーフラップの前部タブが折り畳まれる折り目は、ボックスの前部壁の上縁端の下方であることが好ましい。内側フレームが外側ハウジングのボックス内に受けられ、かつ内側フレームの前部壁がボックスの前部壁の上縁端を越えて延在する場合、それに沿ってカバーフラップの前部タブが折り畳まれる折り目は、内側フレームの前部壁の上縁端の下方である。これにより、有利なことに、出し入れ口が上部壁を横切って延在し、かつ内側パッケージの前部壁と再封可能な接着ラベルの内部表面の第１の領域が、ボックスの、または内側フレームの前部壁の上縁端まで下方に全面的に延在しうるように、出し入れ口の表面積を増大させることができる。同時に、これにより長いカバーフラップが許容される。こうした配置は、製造中に、カバーフラップの折り畳まれた前部タブが容器のその他の要素に付着せず、容器のその他の要素を妨げないが、内側パッケージとぴったりと平行に維持される、というさらなる利点を有する。
【００３５】
容器は、カバーフラップの前部タブの外部表面上に提供される活性化可能な永久的な接着要素を備え、ここで接着要素は選択的に活性化することができ、前部タブは、リッドを開くと、カバーフラップが内側パッケージから持ち上げられて出し入れ口が少なくとも部分的に露出するように、再封可能な接着ラベルの内部表面に貼り付けることができることが好ましい。容器をカスタム化するさらなるオプションをユーザに提供し、これによってカバーフラップが再封可能な接着ラベルに構造的に接続され、カバーフラップの開閉が「自動」となりうるので、これは有利である。実際には、外側ハウジングのリッドを閉位置と開位置の間で移動させると、再封可能な接着ラベルと再封可能な接着ラベルに貼り付けられた任意のカバーフラップもそれぞれの閉位置と開位置の間で移動する。したがって、消費者は、内側パッケージ内に収容される物品を保つのに、再封可能な接着ラベルとカバーフラップの組み合わせの効果に依存し続けることができる一方で、同時に、リッドに固定された再封可能な接着ラベルによって与えられる使い易さを享受することができる。
【００３６】
カバーフラップの前部タブを上述のように約１８０度折り畳む場合、前部タブの外部表面はリッドの内部表面に面する表面である。
【００３７】
一部の実施形態では、接着要素は裏当て材の層によって保護され、裏当て材の層を取り外し、接着要素を露出させ、それによって活性化させることができる。代替として、接着要素は、感圧接着剤、または水分により活性化可能な接着剤、または熱活性化可能な接着剤としてもよい。
【００３８】
容器が活性化可能な、永久的な接着要素を前部タブの外部表面上に備える実施形態では、リッドが閉位置にある時に、カバーフラップの前部タブの上にある、再封可能な接着ラベルの内部表面の第４の領域に実質的に接着剤がないことが好ましい。これによって、カバーフラップの前部タブが再封可能な接着ラベルに偶発的に付着しないことが確実となる。さらに、接着要素が裏当て材の層によって機械的に保護され、これにより、裏当て材の層が、再封可能な接着ラベルに付着することによって偶発的に取り外されないことが確実となる。再封可能な接着ラベルの内部表面の第４の領域の高さは、少なくとも約１ｍｍであることがより好ましい。再封可能な接着ラベルの内部表面の第４の領域の高さは、少なくとも約２ｍｍであることがさらにより好ましい。追加的に、または代替的に、再封可能な接着ラベルの内部表面の第４の領域の高さは、約１２ｍｍ未満であることが好ましい。再封可能な接着ラベルの内部表面の第４の領域の高さは、約８ｍｍ未満であることがより好ましい。好ましい実施形態では、再封可能な接着ラベルの内部表面の第４の領域の高さは、約２ｍｍ〜約８ｍｍである。
【００３９】
追加的に、または代替的に、再封可能な接着ラベルの内部表面の第４の領域の高さは、カバーフラップの前部タブの高さよりも少なくとも１ｍｍ大きい。
【００４０】
本発明による容器には、消費財用の容器、特に喫煙物品などの細長い消費財用の容器としての用途がある。しかし、これはいくつかの他のタイプの消費財用にも使用することができる。
【００４１】
外側ハウジングは、厚紙、板紙、プラスチック、金属、またはその組み合わせを含むがこれに限定されない、任意の好適な材料または材料の組み合わせのブランクから形成されてもよい。ブランクは、約１００グラム／平方メートル〜約３５０グラム／平方メートルの重さを持つ層状の厚紙ブランクであることが好ましい。
【００４２】
容器は、随意に外側ラッパーを備えてもよく、これは、例えば、高密度ポリエチレンまたは低密度ポリエチレン、ポリプロピレン、方向性ポリプロピレン、ポリ塩化ビニリデン、セルロースフィルム、またはその組み合わせなどの透明高分子フィルムであることが好ましく、また外側ラッパーは、従来的な方法で適用される。外側ラッパーは開封テープを含んでもよい。加えて、外側ラッパーは画像、消費者情報、またはその他のデータを印刷されていてもよい。
【００４３】
内側パッケージは、金属箔または金属化紙で形成されることが好ましい。内側パッケージ材料は、金属化ポリエチレンフィルムおよびライナー材料の積層として形成されてもよい。ライナー材料は、スーパー仕上げグラシンペーパーでもよい。加えて、内側パッケージ材料には、印刷受容性のトップコートを提供してもよい。
【００４４】
再封可能な接着ラベルおよびカバーフラップのための適切な材料は当業者には周知であろう。同様に、本発明による容器で使用するために適切ないくつかの再密封可能な永久接着剤が市販されており、また当業者には周知であろう。
【００４５】
外側ハウジングは、幅の狭い２つの壁によって間隙を介した幅の広い２つの壁を備える、直方体であることが好ましい。本発明による容器のヒンジリッドハウジングは、直角の長手方向の縁部と直角の横断方向の縁部とを有する直方体の形状であってもよい。代替的に、ヒンジリッドハウジングは、１つ以上の長手方向の丸みのある縁部、横断方向の丸みのある縁部、長手方向の面取り付きの縁部、または横断方向の面取り付きの縁部、またはその組み合わせを備えてもよい。
ここで、以下の添付図面を参照しながら、例証としてのみであるがさらに説明する。
【図面の簡単な説明】
【００４６】
【図１】本発明による容器の概略的な斜視図を示す。
【図２】本発明による容器で使用される接着ラベルの内部表面の概略的な上面図を示す。
【図３】図２の接着ラベルの外部表面の概略的な上面図を示す。
【図４】本発明による容器で使用されるカバーフラップの概略的な上面図を示す。
【図５】本発明による容器の出し入れ口の概略的な上面図を示す。
【図６】本発明による容器のさらなる実施形態の概略的な斜視図を示す。
【発明を実施するための形態】
【００４７】
図１は、本発明による容器１０を示す。容器１０は、直方体であり、かつボックス１４とリッド１６とを含む、外側ハウジング１２を備える。リッド１６は、ハウジング１２の後部壁を横切って延在するヒンジ線を中心としてヒンジ付けされ、かつ開位置（図１に示す）と閉位置との間で枢動可能である。更に、容器１０は、ボックス１４の中に収容されている喫煙物品の内側パッケージ１８を備える。内側パッケージ１８は、内側パッケージの上部壁および前部壁を横切って延在する出し入れ口２０（図５に模式的に示す）を備える。リッド１６が開位置にある時に、出し入れ口を通して内側パッケージ１８内に含有される喫煙物品を取り出すことができる。内側パッケージは、出し入れ口２０を塞ぐカバーフラップ２２を備える。
【００４８】
さらに、容器は、内側パッケージ１８に取り外し可能に貼り付けられる単一の再封可能な接着ラベル２４を備える。リッドが閉位置にある時に、再封可能な接着ラベル２４はカバーフラップ２２の上にある。
【００４９】
図５に図示するように、再封可能な接着ラベル２４は、出し入れ口２０の周辺を越えて延在し、かつ出し入れ口２０の少なくとも前部端２６の周りに延在する再封可能な接着ラベル２４の内部表面の第１の領域４０上に提供される再密封可能な接着剤によってカバーフラップ２２の上に少なくとも部分的にあるように（図４に模式的に示すように）、内側パッケージ１８に貼り付けられる。
【００５０】
再封可能な接着ラベルの前部タブ４２は、外側ハウジング１２のリッド１４の表面に永久的に貼り付けられる。図３に模式的に示す通り、これは、再封可能な接着ラベルの外部表面の領域５０上に永久接着剤を提供することで達成される。したがって、リッド１４を開くと、再封可能な接着ラベル２４が内側パッケージ１８から持ち上げられて、少なくとも部分的に開口２０が露出する。
【００５１】
再封可能な接着ラベル２４は、再封可能な接着ラベル２４の内部表面の第２の領域４４上に提供される永久接着剤によって内側パッケージ１８の接続部分に永久的に貼り付けられる（図２参照）。内側パッケージ１８において、接続部分は内側パッケージの上部出し入れ口２０に隣接しかつ内側パッケージの上部壁の後部に位置する。第１の領域４０と第２の領域４４の間に配置された再封可能な接着ラベルの内部表面の第３の領域４６には、実質的に接着剤がない。第３の領域４６の高さは、約２ｍｍである。
【００５２】
カバーフラップ２２は、内側パッケージ１８の出し入れ口の少なくとも前部端の周りに延在するカバー接着ラベルの内部表面の第１の領域上に提供される再密封可能な接着剤によって内側パッケージに少なくとも部分的に取り外し可能に貼り付けられる、カバー接着ラベルを備える。カバーフラップ２２は、内側パッケージ１８から完全に取り外し可能である。消費者は簡便に、カバーフラップの前部タブ２３を引っ張りうるが、その内部表面には接着剤がないため、前部タブ２３は内側パッケージ１８の外部表面には付着しない。リッドが閉位置にある時に、カバーフラップ２２の前部タブ２３の上にある、再封可能な接着ラベル２４の内部表面の第４の領域４８には、実質的に接着剤がない。
【００５３】
図６は、本発明による容器６０の別の実施形態を示す。容器６０は、ボックス６４と、外側ハウジング６２の後部壁を横切って延在するヒンジ線の周りにヒンヒンジ付けされ、かつ開位置（図６に示す）と閉位置の間で枢動可能であるリッド６６とを含む、外側ハウジング６２を備える。容器６０は、第１の内側パッケージ６８および第２の内側パッケージ７０を備え、それぞれが、上部出し入れ口を備える（図示せず）。内側パッケージ６８、７０は、それぞれの開口を塞ぐそれぞれのカバーフラップ７２、７４を備える。さらに、容器６０は、内側パッケージ６８、７０の両方に取り外し可能に貼り付けられ、かつカバーフラップ７２、７４の上にある単一の再封可能な接着ラベル７６を備える。より詳細には、再封可能な接着ラベル７６は、内側パッケージ６８、７０の両出し入れ口の周辺を越えて延在し、かつ出し入れ口の少なくとも前部端の周りを延在する再封可能な接着ラベルの内部表面の一の領域上に提供される再密封可能な接着剤によってカバーフラップ７２、７４の上にあるように、内側パッケージに貼り付けられる。
【００５４】
カバーフラップ７２、７４の前部タブ７８、８０は、それぞれのカバーフラップの残りの部分に対して約１８０度折り畳まれる。永久的な接着要素は、前部タブ７８、８０の１つひとつの外部表面上に提供される。接着要素の１つひとつは、前部タブ７８、８０それぞれが再封可能な接着ラベル７６の内部表面に独立して貼り付けることができるように選択的に活性化されて、その結果、リッド６６を開くと、それぞれのカバーフラップ７２、７４がそれぞれの内側パッケージ６８、７０から持ち上げられて、その下にある出し入れ口が少なくとも部分的に露出するようにしうる。
【００５５】
代替的な実施形態（図示せず）において、本発明による容器は、図６の容器６０とほぼ同一であり、２つの内側パッケージのうちの第１のパッケージのみがそれぞれの出し入れ口を塞ぐカバーフラップを備えるという点において容器６０とは異なる。対称的に、第２の内側パッケージの出し入れ口は再封可能な接着ラベルによって覆われるため、リッドを初めて開く時に、第２の内側パッケージの内容物へのアクセスが消費者に対して自動的に与えられる。したがって、消費者は第２のパッケージ内の物品を使い尽くす一方で、カバーフラップが、消費者がカバーフラップを取り外すことを選択するまで、第１の内側パッケージの内容物に対して二重保護を与え続けうる。
【図１】
2019509946.tif 000003
【図２】
2019509946.tif 000004
【図３】
2019509946.tif 000005
【図４】
2019509946.tif 000006
【図５】
2019509946.tif 000007
【図６】
2019509946.tif 000008
【国際調査報告】
2019509946.tif 000009
2019509946.tif 000010